(57)【要約】【課題】冷蔵庫底部に配置される下側ヒンジ部の取付け強度を向上させること。【解決手段】断熱材１４を充填した断熱箱体から成る本体部２の開口部を覆う扉を回動自在に支持する冷蔵庫において、扉の下端を支持する下側ヒンジ部７と、断熱箱体の底面を形成するボトムプレート１３と、断熱箱体の底部の前面を覆うカバー部１１ａとカバー部１１ａの下端から後方に延びてボトムプレート１３の下方に配される底面部１１ｂとを有するベースプレート１１と、カバー部１１ａの背面に接して左右に延びる前面部１２ａと前面部１２ａの上端部から後方に延びて断熱材１４に埋設される第１垂直部１２ｂと前面部１２ａの下端部から後方に延びて底面部１１ｂ上に接する第２垂直部１２ｃとを有する取付け板１２とを備え、カバー部１１ａを挟んで下側ヒンジ部７を前面部１２ａにネジ締結した。【選択図】図３
2012078002.tif 000002
【特許請求の範囲】
【請求項１】
断熱材を充填した断熱箱体から成る本体部の開口部を覆う扉を回動自在に支持する冷蔵庫において、前記扉の下端を支持する下側ヒンジ部と、前記断熱箱体の底面を形成するボトムプレートと、前記断熱箱体の底部の前面を覆うカバー部と前記カバー部の下端から後方に延びて前記ボトムプレートの下方に配される底面部とを有するベースプレートと、前記カバー部の背面に接して左右に延びる前面部と前記前面部の上端部から後方に延びて前記断熱材に埋設される第１垂直部と前記前面部の下端部から後方に延びて前記底面部上に接する第２垂直部とを有する取付け板とを備え、前記カバー部を挟んで前記下側ヒンジ部を前記前面部にネジ締結したことを特徴とする冷蔵庫。
【請求項２】
前記ボトムプレートの前部に下方を開口する凹部を形成するとともに、第２垂直部により前記凹部の前部の下方を覆ったことを特徴とする請求項１に記載の冷蔵庫。
【請求項３】
第２垂直部が前記底面部よりも後方に延び、第２垂直部の後端が前方に屈曲することを特徴とする請求項１または請求項２に記載の冷蔵庫。
【請求項４】
前記ベースプレート及び前記取付け板が金属から成ることを特徴とする請求項１〜請求項３のいずれかに記載の冷蔵庫。
【発明の詳細な説明】
【技術分野】
【０００１】
本発明は、冷蔵庫の下側ヒンジ部の取付け構造に関する。
【背景技術】
【０００２】
従来から冷蔵庫においては扉を上下で回動自在に支持するヒンジ部が設けられており、このヒンジ部の取付け強度を向上させる技術が様々に提案されている。
【０００３】
例えば特許文献１に開示された冷蔵庫では、冷蔵室と製氷室とを仕切る仕切部の前面に仕切りカバーがはめ込まれている。仕切りカバーの内部に断面コの字状の補強用空間部が架設されている。補強用空間部の内部には発泡スチロールからなる断熱材が収納されており、この断熱材の前面には防露パイプが配置されている。防露パイプを挟むように補強用空間部の前面に鉄板より構成され断面コの字状の前板がはめ込まれており、仕切部内部全体に断熱材である発泡ウレタンが充填される。そして、下部ヒンジ部が前板にネジ止めされる。
【０００４】
これにより、扉の荷重により下部ヒンジ部の先端部が下方に引っ張られ、前板も前方下方向に引っ張られる方向の力を受けるが、前板の上下で後方に屈曲したフランジ部は断熱材である発泡ウレタン内部に埋没しているので前板が傾くのを阻止でき、ひいては下部ヒンジ部の傾きを阻止できるとしている。
【先行技術文献】
【特許文献】
【０００５】
【特許文献１】特開２０００−９３８０号公報（第３頁、第１図等）
【発明の概要】
【発明が解決しようとする課題】
【０００６】
しかし、上記特許文献１での下部ヒンジ部の取付け構造は冷蔵室と製氷室とを仕切る部分についての構造であり、冷蔵庫底部に配置される扉を下方で支持するヒンジ部の取付け強度を向上させるものではない。このような冷蔵庫底部に配置されるヒンジ部は使用者に踏まれて大きな荷重がかかる場合がある。このとき上記特許文献１の取付け構造では強度が十分ではなく、ヒンジ部の取付け部分が変形してしまう。
【０００７】
上記問題点を鑑み、本発明は、冷蔵庫底部に配置される扉を回動自在に支持する下側ヒンジ部の取付け強度を向上させることができる冷蔵庫を提供することを目的とする。
【課題を解決するための手段】
【０００８】
上記目的を達成するために本発明は、断熱材を充填した断熱箱体から成る本体部の開口部を覆う扉を回動自在に支持する冷蔵庫において、前記扉の下端を支持する下側ヒンジ部と、前記断熱箱体の底面を形成するボトムプレートと、前記断熱箱体の底部の前面を覆うカバー部と前記カバー部の下端から後方に延びて前記ボトムプレートの下方に配される底面部とを有するベースプレートと、前記カバー部の背面に接して左右に延びる前面部と前記前面部の上端部から後方に延びて前記断熱材に埋設される第１垂直部と前記前面部の下端部から後方に延びて前記底面部上に接する第２垂直部とを有する取付け板とを備え、前記カバー部を挟んで前記下側ヒンジ部を前記前面部にネジ締結したことを特徴としている。
【０００９】
このような構成によれば、断熱材を充填して本体部を形成する断熱箱体の底面部がボトムプレートにより形成され、底部の前面がベースプレートのカバー部により覆われる。カバー部の背面には取付け板の前面部が接して配され、断熱材の充填により一体化される。このとき、取付け板の上端部から後方に延びる第１垂直部は断熱材に埋設される。ベースプレートの底面部はボトムプレートの下方に配され、取付け板の下端部から後方に延びる第２垂直部が底面部上に接して配される。下側ヒンジ部はカバー部を挟んで前面部にネジ締結され、本体部に取付けられる。扉は下側ヒンジ部によって下方が支持され、回動により本体部の開口部を開閉する。
【００１０】
また、本発明は上記構成の冷蔵庫において、前記ボトムプレートの前部に下方を開口する凹部を形成するとともに、第２垂直部により前記凹部の前部の下方を覆ったことを特徴としている。
【００１１】
このような構成によれば、第２垂直部の上方に手指を入れ易い空間ができる。
【００１２】
また、本発明は上記いずれかの構成の冷蔵庫において、第２垂直部が前記底面部よりも後方に延び、第２垂直部の後端が前方に屈曲することを特徴としている。
【００１３】
また、本発明は上記いずれかの構成の冷蔵庫において、前記ベースプレート及び前記取付け板が金属から成ることを特徴としている。
【発明の効果】
【００１４】
本発明によると、ベースプレートのカバー部の背面に取付け板の前面部が接した状態で断熱材が充填され一体化される。このとき第１垂直部は断熱材に埋設される。また、下側ヒンジ部はカバー部を挟んで前面部にネジ締結される。さらに、第２垂直部が底面部上に接しているので、下側ヒンジ部に下方向の荷重がかかった場合に底面部が変形しようとすることを第２垂直部により抑制することができる。従って、冷蔵庫底部に配置される扉を回動自在に支持する下側ヒンジ部の取付け強度を向上できる。
【図面の簡単な説明】
【００１５】
【図１】本発明の一実施形態に係る冷蔵庫の正面図である。
【図２】本発明の一実施形態に係る冷蔵庫の冷凍室扉周辺部の側面図である。
【図３】下側ヒンジ部周辺（図２の部分Ａ）の詳細構成を示す側面断面図である。
【発明を実施するための形態】
【００１６】
以下に本発明の実施形態を図面を参照して説明する。図１は本発明の一実施形態に係る冷蔵庫の正面図である。冷蔵庫１では断熱箱体から成る本体部２の上部に冷蔵室３が形成され、下部に冷凍室５が形成される。断熱箱体は樹脂製の内箱１５（図３参照）と金属製の外箱とを有し、内箱１５と外箱との間に断熱材１４（図３参照）が充填される。冷蔵室３の前面の開口部は冷蔵室扉４により開閉される。冷凍室５の前面の開口部は冷凍室扉６により開閉される。冷蔵室扉４は左右端にハンドル４ａ、４ｂを有し、左右の二方向から択一的に開閉することができる。また、冷凍室扉６は左右端にハンドル６ａ、６ｂを有し、左右の二方向から択一的に開閉することができる。
【００１７】
図２は冷蔵庫１の冷凍室扉６周辺部の側面図を示す。冷凍室５の開口部５ａの上方には左右方向に延びる上側ヒンジ部９が配置され、下方には左右方向に延びる下側ヒンジ部７が配置される。また、下側ヒンジ部７の下方には左右方向に延びるベースカバー８が配置される。
【００１８】
上側ヒンジ部９の左右両端部及び冷凍室扉６の上面の左右両端部には冷凍室６の中心線に対して左右対称に配置される一対のカム機構（不図示）が設けられる。下側ヒンジ部７の左右両端部及び冷凍室扉６の下面の左右両端部には同様の一対のカム機構（不図示）が設けられる。
【００１９】
冷凍室扉６の上下にそれぞれ設けられる左右一対のカム機構はそれぞれ、上側ヒンジ部９及び下側ヒンジ部７に設けられるヒンジピン（不図示）を有している。冷凍室扉６は左右それぞれのヒンジピンに回動自在に支持され、本体部２に係脱して左右両開きが可能となっている。なお、冷蔵室扉４を開閉する機構も上述と同様のカム機構により構成され、冷蔵室扉４も左右両開きが可能となっている。
【００２０】
図３は下側ヒンジ部７周辺（図２の部分Ａ）の詳細構成を示す側面断面図である。冷蔵庫１の全幅に延在する下側ヒンジ部７は側面視略Ｌ字状に形成されている。下側ヒンジ部７は上述したカム機構が上面に設けられる支持部７ａと、ネジ１０を挿通させる孔部７ｃが左右方向に複数形成される取付け部７ｂとを有している。
【００２１】
ベースカバー８はネジ１０及び本体部２の底面に設けられる脚部（不図示）を隠すためのカバーであり、冷蔵庫１の全幅に延在する。
【００２２】
ベースプレート１１は本体部２を構成する内箱１５と外箱の間に断熱材１４を充填して形成される断熱壁の前面を覆うものである。金属から成るベースプレート１１は冷蔵庫１の全幅に延在し、側面視略Ｌ字状に形成される。これにより、ベースプレート１１は本体部２の前面側に配されるカバー部１１ａと、カバー部１１ａの下端から後方に延びてボトムプレート１３の下方に配される底面部１１ｂとを有する。カバー部１１ａにはネジ１０を挿通させる孔部１１ｃが左右方向に複数形成される。孔部１１ｃは下側ヒンジ部７の孔部７ｃに対応するよう形成される。
【００２３】
金属から成る取付け板１２は冷蔵庫１の全幅に延在し、前面部１２ａ、第１垂直部１２ｂ及び第２垂直部１２ｃを有する。前面部１２ａはカバー部１１ａの背面に接して左右方向に延びて形成される。第１垂直部１２ｂは前面部１２ａの上端から垂直に後方に延びて形成される。第２垂直部１２ｃは前面部１２ａの下端から垂直に後方に延び第１垂直部１２ｂと対向して形成される。第２垂直部１２ｃは底面部１１ｂ上に当接させた状態で底面部１１ｂより後方に延び、第２垂直部１２ｃの後端は前方に屈曲する。前面部１２ａには雌ネジ部が形成されネジ１０と螺合するネジ孔部１２ｄが左右方向に複数形成される。ネジ孔部１２ｄは下側ヒンジ部７の孔部７ｃに対応するよう形成される。
【００２４】
下側ヒンジ部７の取付け部７ｂがベースプレート１１のカバー部１１ａに当接する。その当接した面と反対側のカバー部１１ａの面に取付け板１２の前面部１２ａが当接する。第２垂直部１２ｃと底面部１１ｂが当接した状態で、ネジ１０が孔部７ｃ及び孔部１１ｃを挿通されネジ孔部１２ｄに螺合する。これにより、カバー部１１ａを挟んで下側ヒンジ部７を前面部１２ａにネジ締結する。そして、ネジ１０による締結後にベースカバー８が本体部２に係着される。
【００２５】
断熱箱体（外箱）の底面を形成するボトムプレート１３は前方から所定の位置に下方に開口する凹部１３ａが形成される。第１垂直部１２ｂと前面部１２ａの一部からなる部分が凹部１３ａ前方に充填される断熱材１４内部に配置される。水平部１２ａの残りの一部と第２垂直部１２ｃとからなる部分が断熱材１４より下方に突出し、第２垂直部１２ｃはボトムプレート１３の下方に配置される。第２垂直部１２ｃにより凹部１３ａの前部の下方を覆う。
【００２６】
本実施形態によれば、ベースプレート１１のカバー部１１ａの背面に取付け板１２の前面部１２ａが当接した状態で断熱材１４が充填され一体化される。このとき第１垂直部１２ｂは断熱材１４に埋設される。また、下側ヒンジ部７はカバー部１１ａを挟んで前面部１２ａにネジ締結される。さらに、第２垂直部１２ｃが底面部１１ｂ上に当接しているので、下側ヒンジ部７に下方向の荷重がかかった場合に底面部１１ｂが変形しようとすることを第２垂直部１２ｃにより抑制することができる。従って、冷蔵庫１の底部に配された下側ヒンジ部７の取付け強度を向上できる。これにより、下側ヒンジ部７が使用者に踏まれ大きな荷重がかかった場合でも取付け部分の変形を抑えることができる。なお、底面部１１ｂがボトムプレート１３の下方に配されるので、底面部１１ｂ及び第２垂直部１２ｃを冷蔵庫１の運搬時に把持することができ、冷蔵庫１の運搬時の利便性を高めることもできる。
【００２７】
また、ボトムプレート１３の前部に凹部１３ａを形成し、第２垂直部１２ｃにより凹部１３ａの前部の下方を覆うので、第２垂直部１２ｃの上方に手指を入れ易い空間ができ、底面部１１ｂ及び第２垂直部１２ｃを把持し易くなる。
【００２８】
また、第２垂直部１２ｃが底面部１１ｂより後方に延び、第２垂直部１２ｃの後端が前方に屈曲するので、手指で把持した際にケガをすることを抑えることができる。
【００２９】
また、ベースプレート１１及び取付け板１２が金属から成るので、下側ヒンジ部７の取付け強度をより向上できる。
【００３０】
なお、第２垂直部１２ｃに屈曲部は設けず、ボトムプレート１３に凹部１３ａを設けないようにしてもよい。これによっても、手指で底面部１１ｂ及び第２垂直部１２ｃを把持することができる。
【００３１】
また、上記実施形態では扉が両開き可能な冷蔵庫として説明したが、扉を一方からのみ開く冷蔵庫に本発明を適用してもよい。
【産業上の利用可能性】
【００３２】
本発明は、扉が回動自在に支持される冷蔵庫全般に利用することができる。
【符号の説明】
【００３３】
１  冷蔵庫
２  本体部
３  冷蔵室
４  冷蔵室扉
４ａ、４ｂ  ハンドル
５  冷凍室
５ａ  開口部
６  冷凍室扉
６ａ、６ｂ  ハンドル
７  下側ヒンジ部
７ａ  支持部
７ｂ  取付け部
７ｃ  孔部
８  ベースカバー
９  上側ヒンジ部
１０  ネジ
１１  ベースプレート
１１ａ  カバー部
１１ｂ  底面部
１１ｃ  孔部
１２  取付け板
１２ａ  前面部
１２ｂ  第１垂直部
１２ｃ  第２垂直部
１２ｄ  ネジ孔部
１３  ボトムプレート
１３ａ  凹部
１４  断熱材
１５  内箱
【図１】
2012078002.tif 000003
【図２】
2012078002.tif 000004
【図３】
2012078002.tif 000005